(57)【要約】      （修正有）【課題】連接部品とバーテブラとを効率良く便利に脱着できるワイパーを提供する。【解決手段】ワイパーは、連接ヘッド１と、係合栓２と、バーテブラ３を含む。連接ヘッドの底板１１には第一側板１２及び第二側板１３が連結され、下方に取付溝１６が形成されている。第一側板の取付溝を形成する内表面には複数個の係止塊１２２が有り、複数個の係止塊と底板の間には、底板と連接しないよう間隙が形成されている。第二側板には栓孔１８が有り、その孔縁には案内部１９が形成されている。係合栓２は、栓孔に結合し、押圧可能に係合する弾性係合片２１を有し、弾性係合片には案内部に係止する第一係合溝２３及び第二係合溝２４が有る。バーテブラ３は、結合部３３の第一側が前記間隙に嵌込まれ、結合部の内側端部が係合栓に係合、或いは係合栓から離れる。【選択図】図１
0003220127.tif 000002
【実用新案登録請求の範囲】
【請求項１】
連接ヘッドと、係合栓と、バーテブラとを含み、
前記連接ヘッドは、底板を有し、前記底板には第一側板及び第二側板が連結され、前記底板の下方において第一側板及び第二側板と共に取付溝を形成し、前記第一側板において前記取付溝を形成する内表面には複数個の係止塊を有し、前記複数個の係止塊と前記底板との間に前記底板と連接しないよう間隙を形成し、前記第二側板には前記取付溝と連通する栓孔を有し、前記第二側板の外表面において前記栓孔の孔縁には案内部が形成され、
前記係合栓は、前記栓孔に結合し、前記係合栓は押圧可能に係合する弾性係合片を有し、前記弾性係合片は前記案内部に係止する第一係合溝及び第二係合溝を有し、
前記バーテブラは、結合部を有し、前記結合部の第一側が前記間隙に嵌込まれ、前記結合部の第二側が前記係合栓の内側端部に係合し或いは前記係合栓から離れることを特徴とするワイパー。
【請求項２】
前記底板は溝口を有し、前記溝口の開口が前記取付溝に連通し、前記溝口を形成する底板は少なくとも一個の開閉可能で弾性を有する押圧片を有することを特徴とする請求項１に記載のワイパー。
【請求項３】
前記押圧片において一方の端が前記底板に連接し、もう一方の端は前記溝口の開口から突起する突起塊を有することを特徴とする請求項２に記載のワイパー。
【請求項４】
前記結合部の両側に、それぞれ位置制限溝を有することを特徴とする請求項１に記載のワイパー。
【請求項５】
前記第一側板において前記取付溝を形成する内表面には、第一位置制限塊を有し、前記結合部の第一側における前記位置制限溝が前記第一位置制限塊に位置合わせされることを特徴とする請求項４に記載のワイパー。
【請求項６】
前記第二側板において前記取付溝を形成する内表面には、第二位置制限塊を有し、前記結合部の第二側における前記位置制限溝が前記第二位置制限塊に位置合わせされることを特徴とする請求項４に記載のワイパー。
【請求項７】
前記底板の上方には、前記第一側板、前記第二側板及びカバーと共に回動アームに結合するための収容室が形成されていることを特徴とする請求項１に記載のワイパー。
【請求項８】
前記バーテブラの両端には、それぞれラバーを結合するための固定部材を装着することを特徴とする請求項１に記載のワイパー。
【請求項９】
前記各係止塊は相対する第一端と第二端、及び第一端と第二端とを連接する連接面を有し、前記第一端は前記底板に対向し、前記第二端は前記取付溝の溝口に対向し、前記第一端と前記底板との間に前記底板と連接しないよう間隙を形成し、前記第一端は前記第一側板において肩部を形成することを特徴とする請求項１〜請求項８のいずれか１項に記載のワイパー。
【請求項１０】
前記連接面の一部には案内傾斜面が形成され、前記案内傾斜面において、一端が前記第一端に連接し、もう一端は前記連接面から突出するように形成することにより、前記案内傾斜面を前記底板に対して傾斜させることを特徴とする請求項９に記載のワイパー
【考案の詳細な説明】
【技術分野】
【０００１】
本考案は、車両の部品に関するもので、特に、効率よく分離して交換できるワイパーに関するものである。
【背景技術】
【０００２】
図８は、従来のワイパー９を図示し、前記ワイパー９は連接部品９１によりバーテブラ９２の中央に結合され、バーテブラ９２の両端にはそれぞれに固定キャップ９３が設けられ、その固定キャップ９３によりストリップ９４が車両の風防ガラスに摺接するようにバーテブラ９２の下に結合する。これにより、車両の回動アームをワイパー９の連接部品９１に連接することにより、ワイパー９を車両の風防ガラスに対して移動させ、ストリップ９４が風防ガラスを払拭することができる。
【先行技術文献】
【特許文献】
【０００３】
【特許文献１】米国公告８４７９３５０号
【考案の概要】
【考案が解決しようとする課題】
【０００４】
ワイパー９の連接部品９１は、バーテブラ９２の中央に係合することにより固定される。即ち、連接部品９１における二つの側板９５に複数個の係合溝９６が形成され、複数個の係合溝９６はバーテブラ９２の両側に突起する複数個の係合片９７に合わせて形成されている。これにより、ワイパー９を取り付ける際に、二つの側板９５を外に広げ、複数個の係合片９７を複数個の係合溝９６に係合し、二つの側板９５を弾性回復させると、連接部品９１をバーテブラ９２に係合させることができる。しかしながら、従来のワイパー９の構造は、連接部品９１とバーテブラ９２との脱着に不利であり、さらに二つの側板９５を外に広げることにより弾性疲労が生じてしまう可能性があった。また、複数個の係合溝９６と複数個の係合片９７の間に摩耗により隙間が生ると安定に結合することができなくなり、ワイパー９の連接部品９１とバーテブラ９２を確実に結合することができなくなるという問題点があった。上述した課題に鑑みて、従来のワイパーは改良する必要がある。
【０００５】
本考案は、上記の課題を解決するために、回動アームに連接する連接ヘッドとストリップに連接するバーテブラとの間に係合栓を設けることにより便利に脱着することができるワイパーを提供することを目的とするものである。
【０００６】
本考案において、「上（頂）」、「下（底）」、「内」、「外」等の方向を示す用語は、主に図面における方向を意味するものであり、上記各方向用語は、本発明の各実施例を説明する或いは理解できるように用いられるものであり、本発明を限定するものではない。
【課題を解決するための手段】
【０００７】
本考案のワイパーにおいて、連接ヘッドと、係合栓と、バーテブラとを含み、
前記連接ヘッドは、底板を有し、前記底板には第一側板及び第二側板が連結され、前記底板の下方において第一側板及び第二側板と共に取付溝を形成し、前記第一側板において前記取付溝を形成する内表面には複数個の係止塊を有し、前記複数個の係止塊と前記底板との間に前記底板と連接しないよう間隙を形成し、前記第二側板には前記取付溝と連通する栓孔を有し、前記第二側板の外表面において前記栓孔の孔縁には案内部が形成され、
前記係合栓は、前記栓孔に結合し、前記係合栓は押圧可能に係合する弾性係合片を有し、前記弾性係合片には前記案内部に係止する第一係合溝及び第二係合溝を有し、
前記バーテブラは、結合部を有し、前記結合部の第一側が前記間隙に嵌込まれ、前記結合部の第二側が前記係合栓の内側端部に係合し或いは前記係合栓から離れる。
【０００８】
よって、本考案のワイパーは係合栓を押圧することにより、ワイパーを容易に脱着することができ、且つワイパーを脱着する際にバーテブラの一方の側に傾けることにより連接ヘッドの取付溝に嵌込でき、また係合栓によりバーテブラを固定することで、従来のように連接ヘッドの両側における二つの側板に弾性疲労が生じてしまうことを防ぐことができ、ひていは連接ヘッドの使用寿命を延長し、更新する頻度が減少し、消費者に対して経済的な負荷または自然資源の浪費を減らすことができる
【０００９】
また、前記底板は溝口を有し、前記溝口の開口が前記取付溝に連通し、前記溝口を形成する底板は少なくとも一個の開閉可能で弾性を有する押圧片を有する。
よって、前記押圧片は押圧可能な弾性を有することによりバーテブラを圧接する効果を有する。
【００１０】
また、前記押圧片において一方の端が前記底板に連接し、もう一方の端は前記溝口の開から突起する突起塊を有する。
よって、前記突起塊は前記バーテブラを当接することにより優れた位置決め効果を有する。
【００１１】
また、前記結合部の両側にそれぞれ位置制限溝を有する。
よって、前記バーテブラは取付溝に位置制限される効果を有する。
【００１２】
また、前記第一側板において前記取付溝を形成する内表面には第一位置制限塊を有し、前記結合部の第一側における前記位置制限溝を前記第一位置制限塊に位置合わせする。
よって、バーテブラが連接ヘッドに対して変位することを防ぐ効果を有する。
【００１３】
また、前記第二側板において前記取付溝を形成する内表面には第二位置制限塊を有し、前記結合部の第二側における前記位置制限溝を前記第二位置制限塊に位置合わせする。
よって、バーテブラが連接ヘッドに対して変位することを防ぐ効果を有する。
【００１４】
また、前記底板の上方において前記第一側板、前記第二側板及びカバーにより回動アームに結合するための収容室を形成する。
よって、前記構造により、ワイパー全体の結合安定性を向上させる効果を有する。
【００１５】
また、前記バーテブラの両端にはそれぞれラバーを結合するための固定部材を着装する
よって、前記構造により、ワイパー全体の結合安定性を向上させる効果を有する。
【００１６】
また、前記各係止塊は相対する第一端と第二端、及び第一端と第二端とを連接する連接面を有し、前記第一端は前記底板に対向し、前記第二端は前記取付溝の溝口に対向し、前記第一端と前記底板との間に前記底板に連接しないよう間隙を形成し、前記第一端は前記第一側板において肩部を形成する。
よって、バーテブラは安定に取付溝に結合し、結合安定性を向上させる効果を有することができる効果を有する。
【００１７】
また、前記連接面の一部に案内傾斜面を形成し、前記案内傾斜面において、一端が前記第一端と連接し、もう一端は前記連接面から突出するように形成することにより、前記案内傾斜面を前記底板に対して傾斜させる。
よって、バーテブラの第一側は案内傾斜面により案内されて上記間隙に嵌込まれ、結合便利性を向上させる効果を有する。
【図面の簡単な説明】
【００１８】
【図１】図１は、本考案の第一実施例を示すワイパーの分解斜視図。
【図２】図２は、第一実施例のワイパーを組み立てる前の断面図。
【図３】図３は、第一実施例のワイパーを組み立てる際の第一状態を示す断面図。
【図４】図４は、第一実施例のワイパーを組み立てる際の第二状態を示す断面図。
【図５】図５は、第一実施例のワイパーを組み立てた状態の断面図。
【図６】図６は、本考案の第二実施例のワイパーの分解斜視図。
【図７】図７は、本考案の第三実施例のワイパーの分解斜視図。
【図８】図８は、従来のワイパーの局部分解斜視図。
【考案を実施するための形態】
【００１９】
本考案の実施の一形態について、以下、図面を参照して説明する。
【００２０】
図１、２は本考案のワイパーの第一実施例であり、ワイパーは連接ヘッド１と、係合栓２とバーテブラ３とを含み、連接ヘッド１は係合栓２によりバーテブラ３に連接され、車両の回動アームＡに取付けることができる。
【００２１】
上記連接ヘッド１は底板１１を有し、底板１１には第一側板１２及び第二側板１３が連結され、底板１１の上方において第一側板１２、第二側板１３及びカバー１４と共に回動アームＡを結合するための収容室１５を形成する。底板１１の下方において第一側板１２及び第二側板１３と共にバーテブラ３を設置するための取付溝１６を形成する。底板１１は少なくとも一個の溝口１７を有することができ、溝口１７の開口が取付溝１６に連通する。図２に示すように、溝口１７が形成された底板１１は少なくとも一個の開閉可能で弾性を有する押圧片１７１を有し、押圧片１７１の一方の端を底板１１に連接し、もう一方の端を開放端とすることにより、押圧片１７１の開放端が弾性的に押さえられたり回復したりすることができる。押圧片１７１の開放端は溝口１７の開口から突起する突起塊１７２を有する。図1に示すように第二側板１３には、係合栓２を結合するための栓孔１８が有り、栓孔１８は取付溝１６と連通し、第二側板１３の外表面において栓孔１８の孔縁には案内部１９が形成される。
【００２２】
又、上記第一側板１２において取付溝１６を形成する内表面には第一位置制限塊１２１及び複数個の係止塊１２２を設けることができ、第一位置制限塊１２１は底板１１に隣接することが好ましく、且つ複数個の係止塊１２２と底板１１との間は、底板１１と連接しないよう間隙を形成することが好ましい。第二側板１３において取付溝１６を形成する内表面には第二位置制限塊１３１を設けることができ、第二位置制限塊１３１は底板１１に隣接することが好ましく、且つ上記第一位置制限塊１２１と対向する位置に設けることが好ましい。
【００２３】
上記係合栓２は案内部１９に押圧可能に係合する弾性係合片２１を有し、弾性係合片２１には三つの位置決め塊２２が間隔をもって設置されている。即ち、三つの位置決め塊２２の間に第一係合溝２３及び第二係合溝２４が形成され、案内部１９は係合栓２を栓孔１８に結合した際に第一係合溝２３または第二係合溝２４に係合することができる。
【００２４】
上記バーテブラ３にはラバーＢを取り付けるための二つの固定部材３１を結合することができ、且つ、バーテブラ３の両端にはそれぞれキャップ３２を装着し、ラバーＢは車両の風防ガラスに摺接するようにバーテブラ３の下表面に設けられ、又、二つのキャップ３２によりラバーＢの結合安定性を向上させることができる。バーテブラ３において、二つの固定部材３１の間には、結合部３３を形成することができ、結合部３３の両側には、それぞれ位置制限溝３４が有り、好ましくは二つの位置制限溝３４が相対して位置している。
【００２５】
図３に示すように、本考案の連接ヘッド１をバーテブラ３に係合するには、バーテブラ３を連接ヘッド１に対して傾かせてバーテブラ３の第一側を連接ヘッド１の取付溝１６に嵌込み、バーテブラ３が連接ヘッド１に対して変位することを防ぐために、結合部３３の第一側における位置制限溝３４を第一位置制限塊１２１に位置合わせする。そして、バーテブラ３の第一側を複数個の係止塊１２２と底板１１との間における上記間隙に嵌込む。
【００２６】
図４に示すように、続いてバーテブラ３の第二側の位置制限溝３４を第二位置制限塊１３１に位置合わせしてバーテブラ３の第二側を連接ヘッド１に向って押す。これにより、バーテブラ３を取付溝１６に嵌込んで位置決めすることができる。この際、バーテブラ３が底板１１から突起する上記突起塊１７２を押圧し、押圧片１７１の開放端を収容室１５に向って押圧する。
【００２７】
図５に示すように、係合栓２の弾性係合片２１の外側端部を矢印で示す方向へ押圧して、係合栓２の内側端部を取付溝１６に向って押込み、第二係合溝２４が案内部１９に係合するようにすると、上記バーテブラ３の第二側に、係合栓２の内側端部が係合し、バーテブラ３を所定の位置に固定することができ、且つ突起塊１７２は押圧片１７１により弾性を有するから、バーテブラ３を押圧することができる。これにより、バーテブラ３が複数個の係止塊１２２、底板１１及び弾性係合片２１の連携で挟着され取付溝１６内に固定され、バーテブラ３と連接ヘッド１を安定状態に結合することができる。
【００２８】
相対的に、連接ヘッド１をバーテブラ３から分離するには、再びに係合栓２を押圧し、係合栓２を取付溝１６から離し、図４に示すように、案内部１９を係合栓２の第一係合溝２３に係止させる。このとき、係合栓２の内側端部がバーテブラ３から離れるから、これにより、バーテブラ３を容易に連接ヘッド１から分離することができる。
【００２９】
図６に示すように、本考案のワイパーの第二実施例であり、本実施例において、複数個の係止塊１２２は相対する第一端１２２ａ及び第二端１２２ｂを有し、各々の第一端１２２ａは底板１１に対向し、各々の第二端１２２ｂは取付溝１６の溝口に対向する。第一端１２２ａと第二端１２２ｂの間には連接面１２２ｃが有り、第一端１２２ａと底板１１との間に底板１１を連接しないよう間隙を形成し、即ち、係止塊１２２の第一端１２２ａは第一側板１２において肩部を形成する。好ましくはその肩部を第一端１２２ａと連接面１２２cとの境界の箇所が弧になるように形成し、これによってバーテブラ３の第一側を容易に前記間隙に嵌込むことができる。
【００３０】
よって、バーテブラ３の第一側を複数個の係止塊１２２と底板１１との間において連接していない間隙に嵌込むと、バーテブラ３の第一側は係止塊１２２の第一端１２２ａにより形成された肩部に係止し、バーテブラ３は安定状態で取付溝１６に結合し、結合安定性を向上させる効果を有することができる。
【００３１】
図７に示すように、本考案のワイパーの第三実施例であり、係止塊１２２の連接面１２２ｃの一部に案内傾斜面１２２ｄを形成する。詳しく言うと案内傾斜面１２２ｄにおいて、一端が第一端１２２ａに連接し、もう一端は連接面１２２ｃから突出するように形成して、案内傾斜面１２２ｄを底板１１に対して傾斜させる。よって、バーテブラ３の第一側を複数個の係止塊１２２と底板１１との間において連接していない間隙に嵌込む際、バーテブラ３の第一側は案内傾斜面１２２ｄにより上記間隙に嵌込まれ、結合便利性を向上させる効果を有することができる。
【００３２】
総合すると、本考案のワイパーは係合栓を押圧することにより、ワイパーを容易に脱着することができ、且つワイパーを脱着する際にバーテブラの一方の側で傾くように連接ヘッドの取付溝に嵌込み、また係合栓によりバーテブラを固定することで、従来のように連接ヘッドの両側における二つの側板に弾性疲労が生じてしまうことを防ぐことができ、ひていは連接ヘッドの使用寿命を延長し、更新する頻度が減少し、消費者の経済的な負荷及び自然資源の浪費を減らすことができる。
【００３３】
本考案は、その精神と必須の特徴事項から逸脱することなく他のやり方で実施することができる。従って、本明細書に記載した好ましい実施形態は、例示的なものであり、本発明の範囲を限定するものではない。
【符号の説明】
【００３４】
１        連接ヘッド
１１      底板
１２      第一側板
１２１    第一位置制限
１２２    係止塊
１２２ａ  第一端
１２２ｂ  第二端
１２２ｃ  連接面
１２２ｄ  案内傾斜面
１３      第二側板
１３１    第二位置制限塊
１４      カバー
１５      収容室
１６      取付溝
１７      溝口
１７１    押圧片
１７２    突起塊
１８      栓孔
１９      案内部
２        係合栓
２１      弾性係合片
２２      位置決め塊
２３      第一係合溝
２４      第二係合溝
３        バーテブラ
３１      固定部材
３２      キャップ
３３      結合部
３４      位置制限溝
Ａ        回動アーム
Ｂ        ラバー
９        ワイパー
９１      連接部品
９２      バーテブラ
９３      固定キャップ
９４      ストリップ
９５      側板
９６      係合溝
９７      係合片
【図１】
0003220127.tif 000003
【図２】
0003220127.tif 000004
【図３】
0003220127.tif 000005
【図４】
0003220127.tif 000006
【図５】
0003220127.tif 000007
【図６】
0003220127.tif 000008
【図７】
0003220127.tif 000009
【図８】
0003220127.tif 000010